(57)【要約】【課題】レンズの露出／被覆を容易に行うことができるインターホン機器を提供する。【解決手段】カメラユニット５と前ケース２の後面との間に、レンズ部材２１のレンズを被覆可能なカバー板１３を有するシャッター１１を取り付けた。そして、当該シャッター１１を、カバー板１３がレンズ部材２１の前方を覆う被覆位置と、カバー板１３がレンズ部材２１の右側に位置してレンズ部材２１をカメラ窓４内に露出させる露出位置との間を左右方向へスライド可能とした。また、カメラケース２２の前面を、カメラユニット５のチルト操作時の回転軸を中心とした円周面に形成する一方、カバー板１３や第２の柱部１４ｂの後面に、円周面と同径となる円弧凹状の摺動面１５を形成し、摺動面１５をカメラケース２２の前面に当接させた状態でシャッター１１を取り付けた。【選択図】図４
2019146041.tif 000002
【特許請求の範囲】
【請求項１】
本体ケースの前面にカメラ窓が開設されているとともに、前記本体ケースに、レンズを有するカメラユニットが、前記カメラ窓を介して前記レンズが露出するように、且つ、チルト操作可能に設けられてなるインターホン機器であって、
前記本体ケースの内面と前記カメラユニットとの間に、前記レンズを被覆可能なカバー部を備えたシャッターが、前記カバー部が前記レンズの前方に位置して前記レンズを被覆する被覆位置と、前記カバー部が前記レンズの前方から上下左右の何れかへずれた位置にあって前記レンズを露出させる露出位置との間を、前記本体ケースの内面に沿ってスライド可能に設けられているとともに、
前記カメラユニットの前面が、チルト操作に係る回転軸を中心とした円周面に形成されている一方、前記カバー部の後面に、前記円周面と同径となる円弧凹状の摺動面が形成されており、
前記シャッターは、前記摺動面を前記円周面に当接させた状態で設けられているとともに、当該当接状態を維持したままスライドすることを特徴とするインターホン機器。
【発明の詳細な説明】
【技術分野】
【０００１】
本発明は、たとえばカメラが備えられたインターホン親機等のインターホン機器に関するものである。
【背景技術】
【０００２】
従来、カメラユニットを備えたインターホン機器は多数考案されており、たとえば特許文献１には、カメラユニットを備えたインターホン親機が開示されている。
【先行技術文献】
【特許文献】
【０００３】
【特許文献１】特開２０１３−３８６４８号公報
【発明の概要】
【発明が解決しようとする課題】
【０００４】
しかしながら、特にインターホン親機に関しては、カメラユニットを利用しないというユーザーも多く、そのようなユーザーからはカメラユニットのレンズをカバー等で隠したいという要望もある。また、普段カメラユニットを利用しているユーザーであっても、宅配業者からの呼び出し時等、状況に応じてレンズを隠したいという要望もある。
【０００５】
そこで、本発明は、上記要望に鑑みなされたものであって、レンズの露出／被覆を容易に行うことができるインターホン機器を提供しようとするものである。
【課題を解決するための手段】
【０００６】
上記目的を達成するために、本発明は、本体ケースの前面にカメラ窓が開設されているとともに、本体ケースに、レンズを有するカメラユニットが、カメラ窓を介してレンズが露出するように、且つ、チルト操作可能に設けられてなるインターホン機器であって、本体ケースの内面とカメラユニットとの間に、レンズを被覆可能なカバー部を備えたシャッターが、カバー部がレンズの前方に位置してレンズを被覆する被覆位置と、カバー部がレンズの前方から上下左右の何れかへずれた位置にあってレンズを露出させる露出位置との間を、本体ケースの内面に沿ってスライド可能に設けられているとともに、カメラユニットの前面が、チルト操作に係る回転軸を中心とした円周面に形成されている一方、カバー部の後面に、円周面と同径となる円弧凹状の摺動面が形成されており、シャッターは、摺動面を円周面に当接させた状態で設けられているとともに、当該当接状態を維持したままスライドすることを特徴とする。
【発明の効果】
【０００７】
本発明によれば、本体ケースの内面とカメラユニットとの間に、レンズを被覆可能なカバー部を備えたシャッターが、カバー部がレンズの前方に位置してレンズを被覆する被覆位置と、カバー部がレンズの前方から上下左右の何れかへずれた位置にあってレンズを露出させる露出位置との間を、本体ケースの内面に沿ってスライド可能に設けられているため、必要に応じて適宜レンズを被覆することができる。したがって、レンズを被覆したいというユーザーの要望に応えることのできるインターホン機器とすることができる。
また、カメラユニットの前面が、チルト操作に係る回転軸を中心とした円周面に形成されている一方、カバー部の後面に、円周面と同径となる円弧凹状の摺動面が形成されており、シャッターは、摺動面を円周面に当接させた状態で設けられているとともに、当該当接状態を維持したままスライドするようになっている。したがって、シャッターがどの位置にあってもカメラユニットのチルト操作を行うことができ、使い勝手が良い。
【図面の簡単な説明】
【０００８】
【図１】シャッターによりカメラユニットを被覆した状態にあるインターホン親機を前面側から示した説明図である。
【図２】カメラユニットを露出した状態にあるインターホン親機を前面側から示した説明図である。
【図３】カメラユニット部分の垂直断面を示した説明図である。
【図４】分解状態にあるカメラユニット及びシャッターを前側から示した斜視説明図である。
【図５】分解状態にあるカメラユニット及びシャッターを後側から示した斜視説明図である。
【図６】前ケースを後側から示した斜視説明図である。
【図７】後ケースを前側から示した斜視説明図である。
【発明を実施するための形態】
【０００９】
以下、本発明の一実施形態となるインターホン親機について、図面にもとづき詳細に説明する。
【００１０】
図１は、シャッター１１によりカメラユニット５を被覆した状態にあるインターホン親機１を前面側から示した説明図である。図２は、カメラユニット５を露出した状態にあるインターホン親機１を前面側から示した説明図である。図３は、カメラユニット５部分の垂直断面を示した説明図である。図４は、分解状態にあるカメラユニット５及びシャッター１１を前側から示した斜視説明図である。図５は、分解状態にあるカメラユニット５及びシャッター１１を後側から示した斜視説明図である。図６は、前ケース２を後側から示した斜視説明図である。図７は、後ケース３を前側から示した斜視説明図である。
【００１１】
インターホン親機１は、前側に配置される前ケース２及び後側に配置される後ケース３を組み付け、さらに前ケース２の前面を覆うように化粧パネル８を取り付けてなる本体ケースを備えてなり、本体ケース前面の略中央には、インターホン子機（図示せず）で撮像された映像等を表示するための表示部１０が設けられている。また、本体ケース前面の中央下部には、インターホン子機からの呼び出しに応答するためのボタン９が設けられている。さらに、本体ケース前面の下部でボタン９の左右両側には、マイク部６やスピーカ部７等の通話部が設けられている。加えて、本体ケース前面の中央上部には、カメラ窓４が開設されている。そして、カメラ窓４内にレンズ部材２１（図３に示す）が露出するようにカメラユニット５が設けられているとともに、カメラ窓４を開閉することでレンズ部材２１を露出／被覆するシャッター１１が設けられている。
【００１２】
カメラユニット５は、レンズ部材２１と、レンズ部材２１を保持するカメラケース２２及び挟持部材２３とを有する。カメラケース２２は、左右方向へ長い本体部２２ａを有し、該本体部２２ａは、左右方向が軸方向となる略半円筒状に成形され、円周面が前面とされている。また、本体部２２ａの中央には、レンズ部材２１のレンズを露出させるためのレンズ孔２４が開設されている。さらに、レンズ孔２４の左右両側には、挟持部材２３を係止するための係止孔２５が夫々設けられている。加えて、本体部２２ａの下部には、レンズ部材２１から延びるフレキシブルケーブル５０を挟み込むための前舌片２９が下方へ突設されている。一方、本体部２２ａの左右両側面で、円弧の中心となる位置には、夫々左右外側へ突出する軸部２６が設けられている。また、左側の軸部２６には、カメラユニット５のチルト操作時に上方及び下方への回動を所定位置で規制する規制板２７が設けられている。さらに、当該規制板２７には、カメラユニット５をチルト操作するための操作レバー２８が後方へ突設されている。
【００１３】
また、挟持部材２３は、カメラケース２２とは反対に、後面がカメラケース２２の円周面と同径の円周面とされた略半円筒状の部材であって、前面側には、カメラケース２２への組み付けに伴いレンズ部材２１の後面に当接する当接リブ３０が設けられている。また、当接リブ３０の左右両側には、レンズ部材２１の位置を保持するための保持リブ３１、３１が前方へ突設されている。さらに、各保持リブ３１の左右外側には、夫々外側へ突出する鍔片３２が設けられており、各鍔片３２には、先端部が矢尻状に形成された係止片３３が前方へ突設されている。加えて、当接リブ３０及び保持リブ３１、３１の下側には、フレキシブルケーブル５０を挟み込むための後舌片３４が下方へ突設されている。
【００１４】
そして、上記カメラユニット５は、カメラケース２２の後面側からレンズをレンズ孔２４へ入れ込んでレンズ部材２１を配置する。その後、カメラケース２２の後面側から係止片３３、３３を係止孔２５、２５に係止させ、レンズ部材２１を後側から覆うように挟持部材２３をカメラケース２２に組み付ければよい。すると、レンズ部材２１は、保持リブ３１、３１により配置した位置で保持され、且つ、カメラケース２２と挟持部材２３とにより前後から挟持される。また、フレキシブルケーブル５０は、レンズ部材２１への接続箇所の近傍位置において、前舌片２９と後舌片３４とにより前後から挟まれる。
【００１５】
上述したようなカメラユニット５の本体ケースへの取り付けに係る構造ついて説明すると、後面が開口する箱状に成形された前ケース２の上部で、化粧パネル８の取り付け時にカメラ窓４の後側となる位置には、カメラ窓４よりも左右方向へ長い矩形状で、左右長さがカメラケース２２の本体部２２ａの左右長さよりは短い操作窓４１が開設されている。また、前ケース２の後面で操作窓４１の左右外側には、軸部２６を軸支するための軸支部を先端に有する前軸支リブ４２が夫々後方へ突設されている。さらに、左側の前軸支リブ４２の更に左側（後面から見ると右側）には、第２の前軸支リブ４３が後方へ突設されている。そして、左側の前軸支リブ４２の下端と第２の前軸支リブ４３の下端とを連結するように、左右へ延びる規制リブ４７が後方へ突設されている。一方、前面が開口する箱状に成形された後ケース３の上部で、前ケース２への組み付け時に前軸支リブ４２、４２と対応する位置には、軸部２６を軸支するための軸支部を先端に有する後軸支リブ４４、４４が前方へ突設されている。また、左側の後軸支リブ４４の更に左側には、レバー用開口４５が開設されている。さらに、後ケース３の前面で、左右の後軸支リブ４４、４４の間となる位置には、挟持部材２３の後面（円周面）に当接し、チルト操作時にカメラユニット５の回動を案内する円弧凹状の案内面４６が設けられている。加えて、後ケース３の上面には、後述するシャッター１１の摘まみを露出するための切り欠き４８が設けられている。
【００１６】
そして、カメラユニット５の規制板２７を前軸支リブ４２と第２の前軸支リブ４３との間に入れ込み、前軸支リブ４２、４２の軸支部上にカメラユニット５の軸部２６、２６を配置した上で、レバー用開口４５を介して操作レバー２８を後ケース３の後側へ突出させつつ、後ケース３を前ケース２に組み付ければよい。すると、各軸部２６が前軸支リブ４２と後軸支リブ４４とにより前後から挟まれる格好となり、カメラユニット５が、左右方向を軸として上下に回動可能、すなわちチルト操作可能に取り付けられることになる。そして、当該取付状態にあっては、カメラユニット５のレンズ部材２１は、操作窓４１内で、且つ、化粧パネル８の取り付け時にはカメラ窓４内に位置することになる。さらに、レンズ部材２１が下方へ向く側へチルト操作すると、規制板２７の第１の凸部２７ａが規制リブ４７の上面に当接し、それ以上の下方へのチルト操作を規制する。一方、レンズ部材２１が上方へ向く側へチルト操作すると、規制板２７の第２の凸部２７ｂが規制リブ４７の後端に当接し、それ以上の上方へのチルト操作を規制する。
【００１７】
そして、上述したように取り付けられるカメラユニット５と前ケース２の後面との間に、シャッター１１が取り付けられる。シャッター１１は、上下方向が厚み方向となる板体で左右に延びる案内板１２と、案内板１２の前縁の略中央部分から下方へ延びるカバー板１３とを一体的に備えてなる合成樹脂製の部材である。カバー板１３は、上下長さが操作窓４１の上下長さと略同じで、且つ、左右長さが操作窓４１の左右長さの略１／３程度の正面視矩形に成形されている。また、カバー板１３の下側には、カバー板１３の前面よりも一段後側に凹んだ段部が設けられており、カバー板１３を操作窓４１に嵌め込んだ際、操作窓４１の下縁に係合する係合段部１３ａとして機能するようになっている。さらに、当該カバー板１３の左側には、係合段部１３ａから左側へ水平に延びる第１の柱部１４ａと、第１の柱部１４ａの左端と案内板１２の左端とを繋ぐ第２の柱部１４ｂとが設けられており、２つの柱部１４ａ、１４ｂ、カバー板１３の左側縁、及び案内板１２の前縁で囲まれる開口部がレンズ窓１４となる。加えて、カバー板１３の後面、及び第２の柱部１４ｂの後面には、カメラケース２２の前面（円周面）に当接し、且つ、カメラユニット５のチルト操作を妨げない円弧凹状の摺動面１５が設けられている。なお、案内板１２の上面には、シャッター１１の左右方向へのスライドを案内する案内リブ１６と、シャッター１１をスライド操作するための摘まみ（図示せず）とが上方に突設されている。また、第２の柱部１４ｂの下端にも、操作窓４１の下縁に係合する係合段部が設けられている。
【００１８】
上記シャッター１１は、カメラユニット５を前ケース２に取り付けるよりも前に、カバー板１３を操作窓４１内に嵌め込んで取り付ければよい。そのような取付状態にあっては、係合段部１３ａが操作窓４１の下縁に係合しているとともに、案内板１２の上面が前ケース２の上面の内面に、案内板１２の前縁が前ケース２の前面の内面に夫々当接している。また、摺動面１５、１５・・がカメラケース２２の前面に当接している。そして、そのように取り付けられたシャッター１１は、上記当接状態を維持しながら、第２の柱部１４ｂが操作窓４１の左縁に当接しカバー板１３がレンズ部材２１の前方を覆う被覆位置と、カバー板１３が操作窓４１の右縁に当接し（レンズ部材２１の右側に位置し）レンズ窓１４内にレンズ部材２１が位置する露出位置との間を左右方向へスライドさせることができる。なお、シャッター１１の摘まみは切り欠き４８内に突出しており、本体ケース外からシャッター１１を任意の位置にスライド可能となっている。
【００１９】
以上のような構成を有するインターホン親機１によれば、カメラユニット５と前ケース２の後面との間に、レンズ部材２１のレンズを被覆可能なカバー板１３を有するシャッター１１が取り付けられている。そして、当該シャッター１１が、カバー板１３がレンズ部材２１の前方を覆う被覆位置と、カバー板１３がレンズ部材２１の右側に位置してレンズ部材２１をカメラ窓４内に露出させる露出位置との間を左右方向へスライド可能となっている。したがって、たとえばカメラユニット５を使用しない場合や、使用している場合でも宅配業者からの呼び出し時等、必要に応じてレンズ部材２１を被覆したいというユーザーの要望に応えることのできるインターホン親機１とすることができる。
【００２０】
また、カメラユニット５を構成するカメラケース２２の前面が、カメラユニット５のチルト操作時の回転軸となる軸部２６を中心とした円周面に形成されている一方、カバー板１３や第２の柱部１４ｂの後面に、円周面と同径となる円弧凹状の摺動面１５が形成されており、シャッター１１が、摺動面１５をカメラケース２２の前面に当接させた状態で取り付けられているとともに、当該当接状態を維持したまま左右方向へスライドするようになっている。したがって、シャッター１１がどの位置にあってもカメラユニット５のチルト操作を行うことができ、使い勝手が良い。
【００２１】
さらに、化粧パネル８にカメラ窓４が開設されているとともに、前ケース２に左右方向へ長い操作窓４１が開設されており、カバー板１３を操作窓４１に嵌め込んだ状態で、シャッター１１が左右方向へスライド可能に取り付けられている。また、カバー板１３の左側に第１の柱部１４ａ及び第２の柱部１４ｂが設けられ、カバー板１３の左側縁、及び案内板１２の前縁で囲まれる開口部がレンズ窓１４とされている。そして、第２の柱部１４ｂが操作窓４１の左縁に当接する位置が被覆位置となり、カバー板１３が操作窓４１の右縁に当接する位置がレンズ窓１４内にレンズ部材２１が位置する露出位置となるようにしている。したがって、被覆位置と露出位置との位置決めが非常に容易であるし、シャッター１１のスライド操作もスムーズに行うことができる。
【００２２】
加えて、カメラケース２２と挟持部材２３とによりレンズ部材２１を前後から挟持してなるカメラユニット５において、カメラケース２２に前舌片２９が、挟持部材２３に後舌片３４が夫々設けられており、レンズ部材２１に接続されるフレキシブルケーブル５０が、レンズ部材２１への接続箇所の近傍位置において、前舌片２９と後舌片３４とにより前後から挟まれるようになっている。したがって、カメラユニット５のチルト操作に伴い、フレキシブルケーブル５０のレンズ部材２１への接続箇所の近傍位置も移動するものの、当該箇所が他の部材に引っかかって、フレキシブルケーブル５０に負荷がかかってしまうような事態が起こりにくい。
【００２３】
なお、本発明に係るインターホン機器は、インターホン機器の全体的な構成は勿論、シャッターに係る構成等についても、本発明の趣旨を逸脱しない範囲で必要に応じて適宜変更することができる。
【００２４】
たとえば、上記実施形態ではシャッターが左右方向へスライドするように構成されているが、上下方向へスライドするように構成することも可能である。
また、操作窓の左右長さや位置を調整することで、第２の柱部等を設けることなく、カバー部の左縁が操作窓の左縁に当接した位置が被覆位置となるように構成しても何ら問題はない。言い換えるなら、何らかの部材で囲まれたレンズ窓を設けずともよい。
さらに、本体ケースの前面におけるカメラ窓の位置、ひいては本体ケース内におけるカメラユニットの位置は適宜設計変更可能であるし、言うまでも無く複数のカメラユニットが設けられていてもよい。
加えて、上記実施形態ではインターホン親機について説明しているが、本発明は、集合住宅で利用するインターホン機器等の他のインターホン機器に対しても好適に採用することができる。
【符号の説明】
【００２５】
１・・インターホン親機（インターホン機器）、２・・前ケース（本体ケース）、３・・後ケース（本体ケース）、４・・カメラ窓、５・・カメラユニット、８・・化粧パネル（本体ケース）、１１・・シャッター、１２・・案内板、１３・・カバー板（カバー部）、１４・・レンズ窓、１５・・摺動面、２１・・レンズ部材（レンズ）、２２・・カメラケース、２２ａ・・本体部、２３・・挟持部材、２６・・軸部（回転軸）、２７・・規制板、２９・・前舌片、３４・・後舌片、４１・・操作窓、４７・・規制リブ、４８・・切り欠き、５０・・フレキシブルケーブル。
【図１】
2019146041.tif 000003
【図２】
2019146041.tif 000004
【図３】
2019146041.tif 000005
【図４】
2019146041.tif 000006
【図５】
2019146041.tif 000007
【図６】
2019146041.tif 000008
【図７】
2019146041.tif 000009